(57)【要約】【課題】  食品廃棄物の収集データの管理及び集計を容易に行うことができるシステムを提供することを目的とする。【解決手段】  食品廃棄物の収集データ管理システムＳ１は、収集した食品廃棄物の分量を計量する計量手段１１と、少なくとも計量手段１１での計量結果を含む収集データを作成する収集データ作成手段１５と、収集データ作成手段１５により作成された収集データを記憶する収集データ記憶手段２２と、収集データ記憶手段１５に記憶されている収集データを管理又は集計する管理・集計手段２３とを備えている。そして、計量手段１１及び収集データ作成手段１５を含む収集データ作成装置１０と、収集データ記憶手段２２及び管理・集計手段２３を含む収集データ管理装置２０とは分離されて構成されており、収集データ作成装置１０は収集車に搭載されている。また、収集データ作成装置１０と収集データ管理装置２０は、無線で接続されている。【選択図】      図１
2005162429.tif 000002
【特許請求の範囲】
【請求項１】
食品廃棄物の収集データを管理するためのシステムであって、
収集した食品廃棄物の分量を計量する計量手段と、
少なくとも前記計量手段での計量結果を含む収集データを作成する収集データ作成手段と、
前記収集データ作成手段により作成された収集データを記憶する収集データ記憶手段と、
前記収集データ記憶手段に記憶されている収集データを管理又は集計する管理・集計手段とを備えていることを特徴とする食品廃棄物の収集データ管理システム。
【請求項２】
前記収集データ作成手段は、前記計量手段での計量結果、食品廃棄物を収集した年月日、収集した食品廃棄物に関する情報、及び収集業者に関する情報を含む収集データを作成することを特徴とする請求項１に記載の食品廃棄物の収集データ管理システム。
【請求項３】
前記計量手段及び収集データ作成手段を含む収集データ作成装置と、前記収集データ記憶手段及び管理・集計手段を含む収集データ管理装置とは分離されて構成されており、前記収集データ作成装置は収集車に搭載されていることを特徴とする請求項１又は請求項２に記載の食品廃棄物の収集データ管理システム。
【請求項４】
前記収集データ作成手段と前記収集データ記憶手段は、無線で接続されていることを特徴とする請求項３に記載の食品廃棄物の収集データ管理システム。
【請求項５】
ＩＣカードにデータを記録するＩＣカードライタと、ＩＣカードに記録されたデータを読み取るＩＣカードリーダとをさらに備えており、
前記収集データ作成手段により作成された収集データを前記ＩＣカードライタによりＩＣカードに記録し、
前記ＩＣカードリーダによりＩＣカードから読み取られた収集データは、前記収集データ記憶手段に入力されるように構成されていることを特徴とする請求項３に記載の食品廃棄物の収集データ管理システム。
【請求項６】
前記収集データ作成手段により作成された収集データを印刷する印刷手段をさらに備えていることを特徴とする請求項１から請求項５のいずれかに記載の食品廃棄物の収集データ管理システム。
【請求項７】
タグに記録されている情報を読み取るタグ情報読取手段をさらに備えており、
食品廃棄物が貯蔵される容器には、前記食品廃棄物に関する情報が記録されるタグが取り付けられており、
前記タグ情報読取手段が前記タグから読み取った情報は、前記収集データ記憶手段に入力されるように構成されていることを特徴とする請求項１から請求項６のいずれかに記載の食品廃棄物の収集データ管理システム。
【発明の詳細な説明】
【技術分野】
【０００１】
本発明は、食品廃棄物の収集データ管理システムに関し、詳しくは、食品廃棄物の収集データを管理するためのシステムに関する。
【背景技術】
【０００２】
近年、廃棄物を取り巻く種々の事項（特に処分に関する事項）が社会問題となっており、それらの問題を解決するために、廃棄物の減量及び適正な処理が求められている。食品廃棄物に関しても、食品の製造過程において大量に発生する食品廃棄物（産業廃棄物）や、食品流通業及び外食産業における売れ残りや食品廃棄による食品廃棄物（一般廃棄物）の処分が問題となっている。これらの事業者系の食品廃棄物は、家庭分のゴミを含めた全体の食品廃棄物の約半数を占めるため、事業者系の食品廃棄物の減量及び適正な処理が特に強く求められている。
【０００３】
以上のような事情を踏まえて、平成１３年５月１日より、事業者系の食品廃棄物の減量及び適正な処理を目的とした「食品循環資源の再生利用などの促進に関する法律」、いわゆる「食品リサイクル法」が施行された。この食品リサイクル法は、「自ら又は他人に委託して食品廃棄物を肥料、飼料などの原材料として利用すること（又は食品廃棄物を肥料、飼料などの原材料として利用するために譲渡すること）により、食品廃棄物の再生利用を促進することを目的とする法律である。なお、この食品リサイクル法は、特に、年間排出量が１００トン以上の大手事業者に対しては、罰則付きで義務化している。
【０００４】
前記した食品廃棄物の適正な処理とは、食品廃棄物を肥料や飼料などの原材料として利用することを意味している。そのため、事業者より排出される食品廃棄物を収集車で収集した後、その食品廃棄物を処理する施設まで運搬することが必要となるが、この作業は、一般に、前記事業者から委託された収集業者が行っていた。そして、収集業者は、前記事業者に対して料金を請求するために、収集車で食品廃棄物を収集した際に、収集した食品廃棄物の重量、食品廃棄物を収集した年月日、収集した食品廃棄物に関する情報などからなる「食品廃棄物の収集データ」の記録を行っていた。また、前記収集データは、食品廃棄物を収集した際に、前記事業者に対して書類などにより通知していた。なお、収集業者が前記事業者に対して請求する料金は、主に、収集した食品廃棄物の重量に依存する。
【０００５】
なお、前記した食品廃棄物のリサイクルに関する従来技術としては、例えば、特許文献１に開示されている「有機廃棄物のリサイクルシステム」や、特許文献２に開示されている「生ゴミリサイクル管理システム」などがある。
【特許文献１】特開２００１−３１６１９１号公報（段落００２６〜００３４、図１）
【特許文献２】特開２００１−３２１７６０号公報（段落００４４〜００５６、図１）
【発明の開示】
【発明が解決しようとする課題】
【０００６】
しかし、従来は、収集業者は、収集車で食品廃棄物を収集した際に、食品廃棄物の収集データを一々作成しなければならないので、大変面倒であった。また、収集業者は、前記事業者に対して料金を請求するために、複数の収集データを管理又は集計する必要があるが、その作業は大変手間がかかるものであった。要するに、従来は、食品廃棄物の収集データの管理及び集計を容易に行うことができないという問題があった。
【０００７】
そこで、本発明は、食品廃棄物の収集データの管理及び集計を容易に行うことができるシステムを提供することを目的とする。
【課題を解決するための手段】
【０００８】
本発明に係る食品廃棄物の収集データ管理システムは、食品廃棄物の収集データを管理するためのシステムであって、収集した食品廃棄物の分量を計量する計量手段と、少なくとも前記計量手段での計量結果を含む収集データを作成する収集データ作成手段と、前記収集データ作成手段により作成された収集データを記憶する収集データ記憶手段と、前記収集データ記憶手段に記憶されている収集データを管理又は集計する管理・集計手段とを備えている。
【０００９】
この収集データ管理システムによれば、収集車が食品廃棄物を収集した際に、計量手段により収集した食品廃棄物の分量を計量すると、収集データ作成手段は少なくとも前記計量手段での計量結果を含む収集データを自動的に作成することができる。そして、収集データ作成手段により作成された収集データは収集データ記憶手段に記憶されるので、管理・集計手段により、自動的に又は必要に応じて、収集データ記憶手段に記憶されている収集データの管理又は集計を行うことができる。即ち、食品廃棄物の収集データの管理又は集計を容易に行うことが可能となる。
【発明の効果】
【００１０】
本発明に係る食品廃棄物の収集データ管理システムによれば、食品廃棄物の収集データの管理及び集計を容易に行うことができるシステムを提供することができる。
【発明を実施するための最良の形態】
【００１１】
以下、本発明の実施形態について、適宜図面を参照して詳細に説明する。なお、本発明に係る食品廃棄物の収集データ管理システムは、食品廃棄物を収集車で収集した際のデータ（収集データ）を管理するためのシステムであって、本実施形態では、収集データとしては、収集した食品廃棄物の重量、食品廃棄物を収集した年月日、収集した食品廃棄物に関する情報、及び食品廃棄物を収集する業者に関する情報を想定している。
【００１２】
（第１実施形態）
まず、第１実施形態である食品廃棄物の収集データ管理システムＳ１の構成について、図１〜図３を参照して説明する。図１は、収集データ管理システムＳ１の構成を示す図である。図１に示すように、収集データ管理システムＳ１は、収集データ作成装置１０と収集データ管理装置２０から構成されている。収集データ作成装置１０と収集データ管理装置２０は分離されており、収集データ作成装置１０は収集車（図４参照）に搭載される。また、収集データ作成装置１０と収集データ管理装置２０は、無線で接続されている。以下、収集データ管理システムの各手段について説明する。
【００１３】
（収集データ作成装置１０）
収集データ作成装置１０は、食品廃棄物の収集データを作成するための装置であり、計量手段１１、計時手段１２、管理データ記憶手段１３、データ入力手段１４、収集データ作成手段１５、印刷手段１６、送信手段１７を備えている。なお、各手段は、図示しない制御装置によりその動作を制御されている。
【００１４】
（計量手段１１）
計量手段１１は、収集車が収集した食品廃棄物の重量（収集重量）を計量するための手段である。計量手段１１としては、一般の計量装置を用いることができる。計量手段１１での計量結果は、収集データ作成手段１５に入力される。
【００１５】
（計時手段１２）
計時手段１２は、収集車が食品廃棄物を収集した年月日（収集年月日）を計時するための手段である。計時手段１２としては、時計及びカレンダ機能を有する一般の計時装置を用いることができる。この計時手段１２は、計量手段１１が食品廃棄物の重量を計量した際の年月日を収集データ作成手段１５に入力する。
【００１６】
（管理データ記憶手段１３）
管理データ記憶手段１３は、食品廃棄物の収集業者に関する情報（収集業者情報）を予め記憶している。収集業者情報としては、収集車番号、収集業者コード、収集担当者番号が挙げられる。管理データ記憶手段１３に記憶された収集業者情報は、計量手段１１が食品廃棄物の重量を計量した際に、収集データ作成手段１５に入力される。
【００１７】
（データ入力手段１４）
データ入力手段１４は、ユーザが、収集した食品廃棄物に関する情報（食品廃棄物情報）を入力するための手段である。食品廃棄物情報としては、食品廃棄物の種別（産業廃棄物又は一般廃棄物）が挙げられる。ユーザがデータ入力手段１４により入力した食品廃棄物情報は、収集データ作成手段１５に入力される。
【００１８】
（収集データ作成手段１５）
収集データ作成手段１５は、計量手段１１、計時手段１２、管理データ記憶手段１３、及びデータ入力手段１４から入力された各データ（情報）から収集データを作成する。具体的には、計量手段１１での計量結果、ユーザがデータ入力手段１４により入力した食品廃棄物情報、計時手段１２により計時された収集年月日、及び管理データ記憶手段１３に記憶されている収集業者情報から、収集データを作成する。従って、収集データは、収集重量、収集年月日、収集業者情報、及び食品廃棄物情報から構成される。
【００１９】
（印刷手段１６）
印刷手段１６は、収集データ作成手段１５により作成された収集データを印刷するための手段である。印刷手段１６としては、一般の印刷装置を用いることができる。この印刷手段１６は、自動的に又はユーザから命令された際に、収集データを印刷するように構成されている。図２は、印刷手段１６により用紙３０に印刷された収集データを示す図である。図２に示すように、用紙３０には収集データとして、「収集年月日：1995 4/07 13:10」、「ごみ種別（食品廃棄物の種別）：産廃」、「重量（収集重量）：41.5kg」、「収集車番号：2251」、「収集業者コード：1777」、「収集担当者番号：2143」が印刷されている。印刷手段１６による用紙３０への印刷は、一枚をユーザに控えとして渡すために２枚以上の複写とすることが好ましい。
【００２０】
（送信手段１７）
送信手段１７は、収集データ作成手段１５により作成された収集データを収集データ管理装置２０に送信するための手段である。
【００２１】
（収集データ管理装置２０）
収集データ管理装置２０は、収集データ作成装置１０により作成された収集データの管理又は集計するための装置であり、受信手段２１、収集データ記憶手段２２、管理・集計手段２３を備えている。なお、各手段は、図示しない制御装置によりその動作を制御されている。
【００２２】
（受信手段２１）
受信手段２１は、収集データ作成装置１０の送信手段１７から送信された収集データを受信するための手段である。受信手段２１が受信した収集データは、収集データ記憶手段２２に入力される。
【００２３】
（収集データ記憶手段２２）
収集データ記憶手段２２は、受信手段２１から入力された収集データを記憶するための手段である。図３は、収集データ記憶手段２２に記憶されている収集データＤの一例を示す図である。収集データ記憶手段２２は、図３に示すように、複数の収集データＤ１、Ｄ２、Ｄ３、Ｄ４、……、を記憶している。
【００２４】
（管理・集計手段２３）
管理・集計手段２３は、収集データ記憶手段２２に記憶されている収集データＤの管理又は集計するための手段である。この収集データ記憶手段２２は、自動的に又はユーザから命令された際に、収集データＤを管理又は集計する。具体的には、必要に応じて、収集データ記憶手段２２に記憶されている複数の収集データＤ１〜Ｄ４の集計を行い、収集業者が食品廃棄物の収集先の事業者に対して収集料金を請求するのに必要なデータを作成する。
【００２５】
以上のように構成された収集データ管理システムＳ１によれば、収集車が食品廃棄物を収集した際に、計量手段１１により収集した食品廃棄物の重量を計量すると共に、収集業者またはユーザがデータ入力手段１４により食品廃棄物情報を入力すると、収集データ作成手段１５は、計量手段１１での計量結果、収集業者またはユーザがデータ入力手段１４により入力した食品廃棄物情報、計時手段１２により計時された収集年月日、及び管理データ記憶手段１３に予め記憶されている収集業者情報を含む収集データを自動的に作成することができる。そして、収集データ作成手段１５により作成された収集データは、送受信手段１７，受信手段２１により無線で収集データ管理装置２０に送信され、収集データ記憶手段２２に記憶される。したがって、管理・集計手段２３により、自動的に又は必要に応じて、収集データ記憶手段２２に記憶されている収集データの管理又は集計を行うことができる。即ち、食品廃棄物の収集データの管理又は集計を容易に行うことが可能となる。
【００２６】
次に、この収集データ管理システムＳ１を実際の食品廃棄物の収集に適用した場合について、図４を参照して説明する。図４は、収集データ管理システムＳ１を実際の食品廃棄物の収集に適用した場合を説明するための概略図である。図４は、３台の収集車Ｖ１、Ｖ２、Ｖ３により、食品廃棄物Ｆ１〜Ｆ４を収集する様子を示している。図４に示すように、各収集車Ｖには収集データ作成装置１０が搭載されている。また、収集データ管理装置２０は、各収集データ作成装置１０から分離されており、各収集データ作成装置１０とは無線で接続されている。
【００２７】
各収集車Ｖが食品廃棄物Ｆを収集した際は、各収集車Ｖに搭載されている収集データ作成装置１０は収集した食品廃棄物Ｆの収集データＤを作成する。図４では、収集車Ｖ１が食品廃棄物Ｆ１を収集した際は、収集車Ｖ１に搭載されている収集データ作成装置１０により収集データＤ１が作成される。同様に、収集車Ｖ１が食品廃棄物Ｆ２を収集した際は収集データＤ２が作成され、収集車Ｖ２が食品廃棄物Ｆ３を収集した際は収集データＤ３が作成され、収集車Ｖ３が食品廃棄物Ｆ４を収集した際は収集データＤ４が作成される。そして、各収集データ作成装置１０により作成された収集データＤ１〜Ｄ４は、無線で収集データ管理装置２０に送信された後、収集データ作成装置２０の収集データ記憶手段２２（図１参照）に記憶される。
【００２８】
以上のようにして、各収集車Ｖが食品廃棄物Ｆを収集した際は、各収集車Ｖに搭載されている収集データ作成装置１０により収集データＤを自動的に作成することができる。そして、各収集データ作成装置１０により作成された収集データＤは、収集データ作成装置１０とは分離された収集データ管理装置２０の収集データ記憶手段２２に記憶されるので、収集業者は、自動的に又は必要に応じて、収集データ記憶手段２２に記憶されている収集データＤ１〜Ｄ４の管理又は集計を行うことができる。
【００２９】
（第２実施形態）
次に、第２実施形態である収集データ管理システムＳ２について、図５を参照して説明する。なお、前記した第１実施形態の収集データ管理システムＳ１と同様の部分については、同一の符号を付してその説明を省略する。
【００３０】
図５に示す収集データ管理システムＳ２は、収集データ作成装置１０の送信手段１７と収集データ管理装置２０の受信手段２１との代わりに、収集データ作成装置１０にＩＣカードライタ１８が設けられており、収集データ管理装置２０にＩＣカードリーダ２４が設けられている点が、図１に示した収集データ管理システムＳ１と異なる。
【００３１】
ＩＣカードライタ１８はＩＣカード４０にデータを記録するための装置であり、ＩＣカードリーダ２４はＩＣカード４０に記憶された収集データを読み取るための装置である。なお、ＩＣカードとは、ＩＣ（Integrated Circuit：集積回路）チップを搭載したプラスティックカードのことである。また、ＩＣカードライタ１８及びＩＣカードリーダ２４の書込方式及び読取方式は、接触型であってもよいし、非接触型であってもよい。
【００３２】
この収集データ管理システムＳ２では、収集データ作成手段１５により作成された収集データをＩＣカードライタ１８によりＩＣカードに記録し、ＩＣカードリーダ２４によりＩＣカードから読み取られた収集データは、収集データ記憶手段２２に入力されるように構成されている。したがって、収集データ作成装置１０で作成された収集データを、ＩＣカードを介して収集データ管理装置２０に伝達することができる。
【００３３】
（第３実施形態）
次に、第３実施形態である収集データ管理システムＳ３について、図６を参照して説明する。なお、前記した第１実施形態の収集データ管理システムＳ１と同様の装置分については、同一の符号を付してその説明を省略する。
【００３４】
図６に示す収集データ管理システムＳ３は、収集データ作成装置１０にタグ情報読取手段１９がさらに設けられている点と、食品廃棄物を貯蔵するコンテナ（容器）５０に食品廃棄物に関する情報が記録されるＩＣタグ５１が取り付けられている点とが、図１に示した収集データ管理システムＳ１と異なる。
【００３５】
タグ情報読取手段１９は、ＩＣタグ５１に記憶された食品廃棄物に関する情報（食品廃棄物情報）を読み取るための装置である。なお、ＩＣタグ５１とは、ＩＣ（Integrated Circuit：集積回路）チップを搭載した札（荷札）のことである。また、タグ情報読取手段１９の読取方式は、接触型であってもよいし、非接触型であってもよいが、ＩＣチップと小型アンテナが組み込まれたタグである無線ＩＣタグを使用し、タグ情報読取手段１９から電波を送受信して情報を読み取る非接触型の方が好ましい。
【００３６】
この収集データ管理システムＳ３では、コンテナ５０に取り付けられたタグ５１に記録されている食品廃棄物情報をタグ情報読取手段１９により読み取り、収集データ作成手段１５に入力するように構成されている。したがって、食品廃棄物情報は、収集データ作成手段１５に自動的に入力される。その結果、ユーザが食品廃棄物情報を入力する手間を省くことが可能となる。
【００３７】
以上、本発明の実施形態について説明したが、本発明は前記した実施形態のみに限定されるものではなく、本発明の技術的思想に基づく限り、種々の変形が可能である。
【００３８】
例えば、本実施形態では、収集データとしては、収集した食品廃棄物の重量、食品廃棄物を収集した年月日、収集した食品廃棄物に関する情報、及び食品廃棄物を収集する業者に関する情報を想定しているが、この他にも、例えば、収集先に関する情報や収集料金に関する情報などを収集データに含めることも可能である。
【００３９】
また、第２実施形態では、収集データ作成装置１０で作成された収集データを、ＩＣカードを介して収集データ管理装置２０に伝達するように構成しているが、ＩＣカードの代わりに、例えば磁気カードや光カードなどを用いることも可能である。なお、その場合は、磁気カード又は光カード用のライタ（書込装置）を収集データ作成装置１０に設け、リーダ（読取装置）を収集データ管理装置２０に設ける必要がある。
【図面の簡単な説明】
【００４０】
【図１】第１実施形態である収集データ管理システムＳ１の構成を示す図である。
【図２】印刷手段１６により用紙３０に印刷された収集データを示す図である。
【図３】収集データ記憶手段２２に記憶されている収集データＤの一例を示す図である。
【図４】収集データ管理システムＳを実際の食品廃棄物の収集に適用した場合を説明するための概略図である。
【図５】第２実施形態である収集データ管理システムＳ３の構成を示す図である。
【図６】第３実施形態である収集データ管理システムＳ３の構成を示す図である。
【符号の説明】
【００４１】
Ｓ    食品廃棄物の収集データ管理システム
１０  収集データ作成装置
１１  計量手段
１２  計時手段
１３  管理データ記憶手段
１４  データ入力手段
１５  収集データ作成手段
１６  印刷手段
１７  送信手段
２０  収集データ管理装置
２１  受信手段
２２  収集データ記憶手段
２３  管理・集計手段
Ｖ    収集車
Ｆ    食品廃棄物
Ｄ    収集データ
【図１】
2005162429.tif 000003
【図２】
2005162429.tif 000004
【図３】
2005162429.tif 000005
【図４】
2005162429.tif 000006
【図５】
2005162429.tif 000007
【図６】
2005162429.tif 000008